(57)【要約】【課題】  フィルタ部を着脱する開口部を拡大して、簡単な操作で容易にフィルタを交換することができ、交換作業の時間短縮により被爆の可能性を低減し得るフィルタホルダを提供する。【解決手段】  フィルタ部２０を収納可能な収納空間３の上方に固定支持部材１１を、下方に昇降支持部材１２をそれぞれ配置し、昇降移動可能な昇降支持部材１２を最高位置に上昇した状態で前記固定支持部材１１と昇降支持部材１２との間に前記フィルタ部２０を保持可能とし、昇降支持部材１２に、ハンドル４３を操作して回動操作されるカム機構３０を連繋して、カム機構３０により昇降支持部材１２を昇降作動させる。【選択図】  図１
2006122779.tif 000002
【特許請求の範囲】
【請求項１】
フィルタ部を収納可能な収納空間の上方に固定支持部材を、下方に昇降支持部材をそれぞれ配置し、昇降移動可能な昇降支持部材を最高位置に上昇した状態で前記固定支持部材と昇降支持部材との間に前記フィルタ部を保持可能とし、
前記固定支持部材に形成した貫通口に、一方の配管接続部となる上配管を連通接続し、
前記昇降支持部材に形成した貫通口に、他方の配管接続部となる下配管を連通接続するとともに、該下配管に伸縮可能なベローズを介設し、
前記昇降支持部材に、操作部を操作して回動操作されるカム機構を連繋し、該カム機構により前記昇降支持部材を昇降作動させるように構成したことを特徴とするフィルタホルダ。
【請求項２】
前記カム機構は、回動軸と、該回動軸の一端部に取り付けられた操作部と、前記回動軸に固定されたカムとから構成され、
操作部が回動軸の左右の一端部に選択して取り付け可能とされていることを特徴とする請求項１に記載のフィルタホルダ。
【発明の詳細な説明】
【技術分野】
【０００１】
本発明は、例えば、原子力発電所などにおいて、空気中の微粒子などの採取に用いられるフィルタのホルダに関する。
【背景技術】
【０００２】
空気中の微粒子を採取して大気の汚れなどを監視等するために、フィルタを用いることは一般的に行なわれている。この様なフィルタの例としては、例えば、試料ガスが一端から流入し他端へ排気するケース、前記試料ガス中の放射性物質を捕集、吸着するフィルタカートリッジを内蔵したフィルタ部を収納し、前記ケースに収納されてロックハンドルにより回転される回転板と、前記ケースに固定されて排気配管が接続されている下板と、前記回転板にネジ結合するとともに前記下板に上下摺動可能にシール結合された押えとを備えてなる放射線モニタ用集塵装置が提案されている（特許文献１）。
【特許文献１】実開昭６４−１９１８２号公報
【発明の開示】
【発明が解決しようとする課題】
【０００３】
ところで、従来のフィルタホルダは、ハンドルにより回動部材を回動操作してを昇降操作するので、ネジ部のピッチによりストロークが規定されることになり、その構造に起因して、フィルタ部を着脱するための開口部、特に上下方向の隙間が狭く、このため、フィルタ部を取り出して内部のフィルターカートリッジを交換する際にＯリングなどのシール部材を損傷する虞れがあった。
【０００４】
また、ロック機構を解除しなければ、ハンドルを回動操作することができず、フィルタ部の装着後にはネジ部が緩まないようにロック機構で固定しなければならないので、操作が煩雑であった。このように作業時間が長引くと、原子力設備においては被爆の可能性が高くなるので、作業時間短縮化の要請があった。
【０００５】
本発明は、上記の課題に鑑みて提案されたものであり、その目的は、フィルタ部を着脱する開口部を従来よりも拡大することができ、フィルタカートリッジなどの交換時におけるシール部材の破損を防止することができ、また、簡単な操作で容易にフィルタカートリッジ等を交換することができ、交換作業の時間短縮化により被爆の可能性を低減し得るフィルタホルダを提供することにある。
【課題を解決するための手段】
【０００６】
前記の目的を達成すべく、請求項１に記載のものは、フィルタ部を収納可能な収納空間の上方に固定支持部材を、下方に昇降支持部材をそれぞれ配置し、昇降移動可能な昇降支持部材を最高位置に上昇した状態で前記固定支持部材と昇降支持部材との間に前記フィルタ部を保持可能とし、
前記固定支持部材に形成した貫通口に、一方の配管接続部となる上配管を連通接続し、
前記昇降支持部材に形成した貫通口に、他方の配管接続部となる下配管を連通接続するとともに該下配管に伸縮可能なベローズを介設し、
前記昇降支持部材に、操作部を操作して回動操作されるカム機構を連繋し、該カム機構により前記昇降支持部材を昇降作動させるように構成したことを特徴とするフィルタホルダである。
【０００７】
請求項２に記載のものは、カム機構が回動軸と、該回動軸の一端部に取り付けられた操作部と、回動軸に固定されたカムとから構成され、操作部が回動軸の左右の一端部に選択して取り付け可能としたことを特徴とする請求項１に記載のフィルタホルダである。
【発明の効果】
【０００８】
この発明によれば、フィルタ部を収納する収納空間の上方に固定支持部材を、下方に昇降支持部材をそれぞれ配置し、昇降移動可能な昇降支持部材を最高位置に上昇した状態で前記固定支持部材と昇降支持部材との間にフィルタ部を保持可能とし、カム機構により昇降支持部材を昇降作動させるように構成したので、該昇降支持部材のストロークを大きく設定することができ、フィルタ部を着脱する開口部が従来よりも拡大し、フィルタの交換時にシール部材が破損することがない。
【０００９】
また、操作部を操作してカム機構を回動操作するだけで前記昇降支持部材を昇降作動させることができので、ロック機構の解除を要さず、簡単な操作で容易にフィルタを交換することができ、フィルタの交換作業の時間短縮により被爆の可能性を低減し得る。
【００１０】
しかも、操作部は左右のいずれにも取り付けることができ、設置環境に適合させ易く、また、使用者の操作性を向上させ易い。
【発明を実施するための最良の形態】
【００１１】
以下、本発明を実施するための最良の形態を図面に基づいて説明する。
図１は本発明のフィルタホルダを示す縦断面図、図２は図１のＡ−Ａ線矢視図、図３は本発明のフィルタホルダを簡略化して示す模式図である。
これらの図面に示すように、本実施形態のフィルタホルダ１は、その長手方向が上下方向となる竪型の装置として構成されており、そのボディ２の略中央部に、フィルタ部２０を収納する収納空間３を形成し、正面が出し入れ口として開放されてこの収納空間３の上方に固定支持部材１１を、下方に昇降支持部材１２をそれぞれ配置し、固定支持部材１１の下面と昇降支持部材１２の上面とで相対向する前記収納空間３の上下面を区画し、固定支持部材１１の貫通口４に配管接続部となる上配管１４を連通し、昇降支持部材１２の貫通口５の下に配管接続部となる下配管として下配管１５を連通接続し、昇降支持部材１２を昇降するカム機構３０を昇降支持部材１２に連繋させて設けることで概略構成されている。
【００１２】
フィルタ部２０は、ホルダ部内にフィルタ本体をセットしたものであり、ホルダ部の主体である下筒体２１の内部に、活性炭を充填したフィルターカートリッジ（フィルタ本体の一種）２２を装填し、該フィルターカートリッジ２２の上にシート状のフィルタ（濾紙；フィルタ本体の一種）２３を載せて上リング体（ホルダ部の一部）２４を被せたものである。そして、ホルダ部２５となる下筒体２１の上面、及び上リング体２４の上面に、Ｏリング２６をそれぞれ設け、下筒体２１と上リング体２４との間、固定支持部材１１とホルダ部２５との間の気密性を確保している。また、ホルダ部２５、具体的には下筒体２１の外周面に取っ手２７を水平方向に設け、該取っ手２７の端部に設けたグリップ２８を手で持ってフィルタ部２０を収納空間３から引き出したり、或いは差し入れたりできるように構成してある。
【００１３】
上記した構成からなるフィルタ部２０を載せる昇降支持部材１２は、円筒体の下半左右側部を切り欠いた正面視略Ｔ字状のブロック体であり、切り欠いた部分の天井面がカム係合面３１となる。また、前記収納空間３の区画底面となる上面部分にＯリング３２を設け、該Ｏリング３２により上面部分上に載置したフィルタ部２０との気密性を確保し、この上面部分から下方に伸びる脚部３３に軸貫通孔３４を左右方向に開設し、この軸貫通孔３４を避けるようにして貫通口（流路）５を偏心屈曲した状態で形成し、該貫通流路５の入口を昇降支持部材１２の上面部分に、出口を脚部３３の下面にそれぞれ開口する。そして、出口には、伸縮可能なベローズ３５を介して下配管１５に接続する。
【００１４】
次に、昇降支持部材１２を昇降作動させるカム機構３０について説明する。
カム機構３０は、図２から図４に示すように、前記ボディ２の下部を構成している円筒状の胴部４０に取り付けられた軸受部材４１に枢支された回動軸４２と、該回動軸４２の一端部に固定され、その回動作動を手動操作する操作部（ハンドル）４３と、前記昇降支持部材１２の脚部３３の軸貫通孔３４内に挿通した回動軸４２の左右にそれぞれ固定された一対のカム４４とから構成されている。これらのカム４４は前記カム係合面３１に係合するように配置れており、ハンドル４３により回動軸４２を回動作動させると、カム４４が昇降支持部材１２のカム係合面３１に下方から係合して昇降支持部材１２を昇降移動させる。即ち、昇降支持部材１２の上面が前記収納空間３３に臨んで上下動し、その最高位置において前記固定支持部材１１との間にフィルタ部２０を保持するように成っている。
【００１５】
次に、図３及び図４に基づいて、フィルタ部２０を収納空間３から取り出してフィルタカートリッジ等を交換する場合の操作及び作用について説明する。
図４において、（ｂ）が昇降支持部材１２の最高位置の状態であり、この状態において前記固定支持部材１１との間にフィルタ部２０を保持している。なお、図４（ｂ）では、フィルタ部２０の図示を省略している。この状態では、略扇形状のカム４４の凸部（回動軸４２の軸心からの偏心量が最大となる部分）が前記カム係合面３１の下面に当接しており、その結果、昇降支持部材１２を最高位置に上昇させており、この状態で大気などの試料気体をフィルタ部２０に上から下に通して塵埃などを捕捉したりする。なお、昇降支持部材１２が上昇すると、その下部に介設されたベローズ３５は、該昇降支持部材１２の上昇に伴って伸長する。また、昇降支持部材１２が最高位置まで上昇すると、ハンドル４３は、回転中心である回動軸４２の軸心よりも所定の角度で斜め下方へ傾倒しているので自重で付勢された状態となり、別途ロック機構を設けなくても戻り回動することはない。
【００１６】
フィルタ部２０を交換する場合には、ハンドル４３を所定の角度まで上方へ回動させることにより、該ハンドル４３に固定された回動軸４２を回動作動させ、前記カム係合面３１に当接するカム４４の凸部の位置を偏心量の少ない部分に移動する。これにより、昇降支持部材１２が自重により下降するように構成してもよいが、図面に示す本実施形態では図４（ａ）に示すように、前記カム係合面３１から脱離したカム４４が下カム係合部４５に当接し、これにより昇降支持部材１２が強制的に下降するように構成してある。なお、昇降支持部材１２の脚部３３の左右下部に下カム係合部４５を左右に張り出すように設けると、この昇降支持部材１２の正面視の形状が横Ｈ形となる。
【００１７】
昇降支持部材１２が前記カム４４の回動作動に伴って下降し、図４（ａ）に示すような最低位置まで下降すると、固定支持部材１１と昇降支持部材１２との間の間隔Ｄが拡大され、前記正面開口部の拡大幅が最大となる。したがって、この状態になるとフィルタ部２０を簡単かつ容易に前記収納空間３から引き出すことができ、しかも交換作業時にＯリング等のシール部材を破損させることがない。なお、昇降支持部材１２が下降すると、その際、昇降支持部材１２の下部に介設されたベローズ３５が昇降支持部材１２の下降に伴って短縮される。
【００１８】
図４において、（ｂ）に示す昇降支持部材１２の最高位置と、（ａ）に示す昇降支持部材１２の最低位置との進退ストロークＳは５ｍｍであり、従来のネジピッチに拘束される２．５ｍｍのストロークに比して、大きなストロークＳを設定することができる。また、採用するベローズ３５の伸縮度合にもよるが、カム４４の大きさや形状の変更により、より大きな進退ストロークＳを設定することができる。
【００１９】
さらに、ハンドル４３を回動操作してカム機構を回動操作するだけで前記昇降支持部材１２を昇降作動させることができるので、従来のようにロック機構の解除を要さず、簡単な操作で容易にカートリッジフィルタ２２や濾紙フィルタ２３を交換することができる。したがって、フィルタ交換の作業時間を大幅な短縮に貢献することができ、その結果、被爆の可能性を低減することができるものである。
【００２０】
なお、前記した実施形態においては、筒状体のホルダ部２５の内部に、活性炭のカートリッジフィルタ２２と濾紙フィルタ２３をセットするフィルタ部２０を挙げて説明したが、フィルタ部２０の構成はこれに限定されるものではなく、用途に応じて適宜変更可能である。
【図面の簡単な説明】
【００２１】
【図１】本発明のフィルタホルダを示す縦断面図である。
【図２】図１のＡ−Ａ線矢視図である。
【図３】本発明のフィルタホルダを簡略化して示す模式図である。
【図４】本発明のフィルタホルダの作用を示す説明図であり、（ａ）は最低位置におけるカム機構の模式図、（ｂ）は最高位置におけるカム機構の模式図である。
【符号の説明】
【００２２】
１  フィルタホルダ
２  ボディ
３  収納空間
４，５  貫通口（流路）
１１  固定支持部材
１２  昇降支持部材
１４  上配管
１５  下配管
２０  フィルタ部
２１  下筒体
２２  カートリッジフィルタ
２３  濾紙フィルタ
２４  上リング体
２５  ホルダ部
２６  Ｏリング
２７  取っ手
２８  グリップ
３０  カム機構
３１  カム係合面
３２  Ｏリング
３３  脚部
３４  軸貫通孔
３５  ベローズ
４０  胴部
４１  軸受部材
４２  回動軸
４３  操作部（ハンドル）
４４  カム
４５  下カム係合部
【図１】
2006122779.tif 000003
【図２】
2006122779.tif 000004
【図３】
2006122779.tif 000005
【図４】
2006122779.tif 000006